【手続補正書】
【提出日】平成19年1月10日(2007.1.10)
【手続補正１】
【補正対象書類名】特許請求の範囲
【補正対象項目名】全文
【補正方法】変更
【補正の内容】
【特許請求の範囲】
【請求項１】
少なくとも２つの音のビームを同時に生成することが可能で、前記ビームのうち少なくとも１つの方向操作が可能な第一の電気音響トランスデューサを備えるアレイと、
前記アレイの周囲近くに位置する低周波数音を再生するよう構成されている低周波数トランスデューサと、
第一のトランスデューサによって発せられるべき信号から低周波数コンテントを濾波し、前記低周波数コンテントを低周波数トランスデューサによって発せられるべき信号に加えるフィルターシステムと、を具備するスピーカーシステム。
【請求項２】
低周波数トランスデューサが、第一のトランスデューサの周波数範囲を実質的に含む周波数範囲で信号を発するよう構成されている広帯域トランスデューサであって、かつビームを方向操作するアレイの一部である請求項１に記載のシステム。
【請求項３】
アレイの左右の側の近くに、単独で、または第一のトランスデューサと密接に隣り合って置かれる低周波数トランスデューサが、左右のチャンネルをそれぞれ出力するように、システムが配置されている請求項１または２に記載のシステム。
【請求項４】
低周波数トランスデューサが、第一のトランスデューサの周波数範囲を実質的に含む周波数範囲で信号を発するよう構成されている広帯域トランスデューサであり、かつアレイの左右の側の近くに単独で置かれる低周波数トランスデューサが、左右のチャンネルをそれぞれ出力するようにシステムが配置されている前記請求項のいずれかに記載のシステム。
【請求項５】
少なくとも２つのビームが、サラウンド音信号のチャンネルである前記請求項のいずれかに記載のシステム。
【請求項６】
少なくとも２つのビームが、２つ以上の異なるオーディオ信号であって、アレイに対して異なる位置にいるリスナーが、前記異なるオーディオ信号の１つだけをそれぞれ支配的に受け取る前記請求項のいずれかに記載のシステム。
【請求項７】
隣接する第一のトランスデューサの間の間取りが不均一である前記請求項のいずれかに記載のシステム。
【請求項８】
第一のトランスデューサの間の平均スペーシングがアレイの周囲に向けて増大している請求項７に記載のシステム。
【請求項９】
各トランスデューサについての出力信号の振幅がウインドウ関数に従って変調される前記請求項のいずれかに記載のシステム。
【請求項１０】
ウインドウ関数がアレイの周囲に向けて次第に先細りする請求項９に記載のシステム。
【請求項１１】
低周波数トランスデューサの数が１と２０の間の範囲にある前記請求項のいずれかに記載のシステム。
【請求項１２】
低周波数トランスデューサの数が１と１０の間の範囲にある請求項１１に記載のシステム。
【請求項１３】
低周波数トランスデューサの数が１から４の範囲にある請求項１２に記載のシステム。
【請求項１４】
低周波数トランスデューサの数が１から２の範囲にある請求項１３に記載のシステム。
【請求項１５】
密接に隣り合う第一のトランスデューサの中間点の間取りが、第一のトランスデューサの最も低い音響共振周波数に対応する波長の半分に等しいかそれよりも小さい前記請求項のいずれかに記載のシステム。
【請求項１６】
第一のトランスデューサのアレイが、低周波数トランスデューサ間の領域に密に詰められている請求項１５に記載のシステム。
【請求項１７】
トランスデューサにおいて発生する移相を補償する移相回路または補償回路がさらに含まれている前記請求項のいずれかに記載のシステム。
【請求項１８】
アレイには、第一のトランスデューサの、水平に向けられた１列、２列または３列のラインが含まれている前記請求項のいずれかに記載のシステム。
【請求項１９】
低周波数トランスデューサが、前記水平に向けられたラインの端またはその近くに置かれている請求項１８に記載のシステム。
【請求項２０】
アレイには、第一のトランスデューサが垂直方向で互い違いに配置される中央区域が含まれている前記請求項のいずれかに記載のシステム。
【請求項２１】
アレイが概して楕円形を有する前記請求項のいずれかに記載のシステム。
【請求項２２】
低周波数トランスデューサが、楕円形のアレイに外接する長方形のコーナーまたはその近くに位置付けられている請求項２１に記載のシステム。
【請求項２３】
第一のトランスデューサの数が２００未満である前記請求項のいずれかに記載のシステム。
【請求項２４】
第一のトランスデューサの数が５０未満である請求項２３に記載のシステム。
【請求項２５】
第一のトランスデューサの数が５より大きい前記請求項のいずれかに記載のシステム。
【請求項２６】
第一のトランスデューサの数が低周波数トランスデューサの数の２倍より大きい前記請求項のいずれかに記載のシステム。
【請求項２７】
第一のトランスデューサの数が低周波数トランスデューサの数の４倍より大きい前記請求項のいずれかに記載のシステム。
【請求項２８】
第一のトランスデューサの数が低周波数トランスデューサの数の１０倍より大きい前記請求項のいずれかに記載のシステム。
【請求項２９】
音の複製信号を遅延させ、かつ前記アレイの、少なくとも前記第一のトランスデューサを用いて遅延された複製信号を出力することによって、前記少なくとも１つのビームの方向操作が可能である前記請求項のいずれかに記載のシステム。
【請求項３０】
ビデオ情報を表示するシステムおよび前記請求項のいずれかによるオーディオシステムが含まれているメディアシステム。
【請求項３１】
ビデオ情報を表示するシステムがテレビシステムである請求項３０に記載のメディアシステム。
【請求項３２】
ビデオおよびオーディオ信号の入力を提供するメディアプレーヤーと、前記ビデオ情報を表示するモニターと、独立して方向操作の可能な少なくとも２つの音のビームを再生する請求項１に記載のスピーカーシステムとを備える請求項３０に記載のメディアシステム。
【請求項３３】
少なくとも２つの音のビームを同時に生成することが可能で、前記ビームのうち少なくとも１つが方向操作の可能である電気音響トランスデューサのアレイを含んでいるスピーカーシステムであって、前記トランスデューサの第一の組は、低周波数音を出すことが実質的に不可能である高周波数トランスデューサであり、前記トランスデューサの第二の組は、低周波数音を出すことが可能な低周波数または広帯域トランスデューサであり、前記システムは、高周波数トランスデューサによって発せられるように前もって定めている信号から低周波数コンテントを濾波し、かつ前記低周波数コンテントを、低周波数トランスデューサによって発せられるように前もって定めている信号に加えるフィルターシステムを含んでいるスピーカーシステム。
【請求項３４】
前記アレイは、ラインアレイである請求項３３に記載のシステム。
【請求項３５】
前記トランスデューサの第二の組は、ラインアレイの両端に置かれている請求項３４に記載のシステム。
【請求項３６】
ラインアレイ形状に配置される複数のトランスデューサを備え、トランスデューサ間の平均スペーシングがアレイの両端に向かって増大しているスピーカーシステム。
【請求項３７】
前記トランスデューサが、低周波数音を発することが実質的に不可能な高周波数トランスデューサである請求項３６に記載のシステム。
【請求項３８】
低周波数または広帯域トランスデューサをアレイの両端にさらに備える請求項３６または３７に記載のシステム。
【請求項３９】
アレイが、水平に向けられた１列、２列または３列のトランスデューサのラインからなる請求項３３乃至３８のいずれかに記載のシステム。
【請求項４０】
アレイの幅が、アレイの高さの少なくとも２倍である前記請求項のいずれかに記載のシステム。
【請求項４１】
アレイの幅が、アレイの高さの少なくとも４倍である前記請求項のいずれかに記載のシステム。
【請求項４２】
アレイの幅が、アレイの高さの少なくとも８倍である前記請求項のいずれかに記載のシステム。
【請求項４３】
電気音響トランスデューサのアレイを用いて音のビームを生成する方法であって、
高周波数トランスデューサに向かう信号を濾波して低周波数コンテントを取り除き、
前記低周波数コンテントを、低周波数トランスデューサに向かう信号に加える
ステップを備える方法。
【請求項４４】
アレイを用いて２つの音のビームを２人のリスナーにそれぞれ生成する方法であって、
第一のオーディオプログラムのビームを第一の聞き取り位置に送り、
第二のオーディオプログラムのビームを第二の、異なる聞き取り位置に送る
ステップを備える方法。
【請求項４５】
前記アレイが水平に配列されているラインアレイである請求項４４に記載の方法。
【請求項４６】
前記ラインアレイが、アレイの両端に向かって増大する平均スペーシングを有しているトランスデューサを備える請求項４５に記載の方法。
【請求項４７】
さらなるオーディオプログラムをさらなる聞き取り位置にそれぞれ送る
ステップをさらに備える請求項４６に記載の方法。
【請求項４８】
前記第一のまたは高周波数トランスデューサは５０ｍｍ未満の直径を有する前記請求項のいずれかに記載のシステムまたは方法。
【請求項４９】
前記低周波数トランスデューサは５０ｍｍより大きな直径を有する前記請求項のいずれかに記載のシステムまたは方法。
【請求項５０】
前記低周波数トランスデューサは１００ｍｍより大きな直径を有する前記請求項のいずれかに記載のシステムまたは方法。
【請求項５１】
前記低周波数トランスデューサは、前記第一のまたは高周波数トランスデューサの直径の少なくとも２倍大きな直径を有する前記請求項のいずれかに記載のシステムまたは方法。
【請求項５２】
アレイの中心またはその近くに置かれている前記第一のまたは高周波数トランスデューサの１つ以上が、低周波数を実質的に再生することが可能な広帯域トランスデューサと置き換えられている前記請求項のいずれかに記載のシステムまたは方法。